(57)【要約】【課題】遊技盤に対して組み付け容易で且つ低コストにて発光手段や電気的接続ケーブル等を収納し得るように構成した遊技機を提供する。【解決手段】本パチンコ機１における盤面発光装置６２は、支持部材６０に凹部５３に嵌合する鍔部６１を一体に形成し、該鍔部６１がＬＥＤ５６に通電するハーネスを凹部内に収納してなる。これにより、支持部材６０を配設した際、該支持部材６０と一体となった鍔部６１が凹部５３に嵌合されるので、例えば蓋部材等といった単独の専用部材などを増やさずに、ハーネスを低コストで凹部５３内に収納することができるようになる。【選択図】図２
2008220876.tif 000002
【特許請求の範囲】
【請求項１】
遊技盤の前面に形成された遊技領域に遊技球を打ち出して遊技してなる遊技機において、
前記遊技盤の厚さ方向に貫通した複数の貫通孔と、
前記遊技盤の背面に形成され、前記複数の貫通孔同士に通じる凹部と、
前記貫通孔内方に配置され、通電されることで前記遊技盤の前面側に光を発する発光手段と、
前記発光手段を支持し、前記遊技盤背面側に突出しない状態で、且つ該遊技盤背面に形成された前記貫通孔の開口を塞いだ状態で配設される支持部材と、を備え、
前記支持部材に、前記凹部に嵌合する鍔部を一体に形成し、
前記鍔部は、前記支持部材が前記遊技盤に配設された状態で、該遊技盤の背面側に突出せずに、前記発光手段に通電する電気的接続ケーブルを前記凹部内に収納してなる、
ことを特徴とする遊技機。
【請求項２】
前記支持部材は、対応する貫通孔と略々同形状に形成され、該貫通孔を形作る前記遊技盤の内側面に接した状態に配設されてなる、
請求項１に記載の遊技機。
【請求項３】
前記複数の貫通孔は、前記遊技盤の前面にそれぞれ複数の開口を有し、前記遊技盤の背面にそれぞれ貫通孔と凹部とが連通した開口を有してなる、
請求項１又は２に記載の遊技機。
【発明の詳細な説明】
【技術分野】
【０００１】
本発明は、パチンコ機等の遊技機に係り、詳しくは、遊技機に備える遊技盤の配線構造に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカーを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
このようなパチンコ機の中には、遊技盤本体と、入賞具や装飾部材に設けられたセンサやランプ等と、該センサやランプ等を制御する制御回路と、該センサやランプ等と制御回路とを接続する配線アセンブリや各種コネクタ等と、この配線アセンブリ等を収納する配線収納路等とを備え、制御回路と入賞具等とを接続する配線コード等が遊技盤の裏面表面から外部後方に突出しないようにしたものが提案されている（特許文献１参照）。
【０００５】
【特許文献１】特開平５−２９３２１３号公報
【発明の開示】
【発明が解決しようとする課題】
【０００６】
しかし、上記特許文献１に記載されたパチンコ機においては、遊技盤における配線収納路等を覆う際に蓋板等の部材を配設させるので、製造コストが高くなるとともに、部品点数が増加することによって組み付け時の手間や手数が増えていた。
【０００７】
そこで本発明は、遊技盤に対して組み付け容易で且つ低コストにて発光手段や電気的接続ケーブル等を収納し得るように構成し、もって上述した課題を解決した遊技機を提供することを目的とするものである。
【課題を解決するための手段】
【０００８】
請求項１に係る本発明は（例えば図１ないし図９参照）、遊技盤（３）の前面に形成された遊技領域（３ａ）に遊技球（Ｂａ）を打ち出して遊技してなる遊技機（１）において、
前記遊技盤（３）の厚さ方向に貫通した複数の貫通孔（５０）と、
前記遊技盤（３）の背面に形成され、前記複数の貫通孔（５０）同士に通じる凹部（５３）と、
前記貫通孔（５０）内方に配置され、通電されることで前記遊技盤（３）の前面側に光を発する発光手段（５６，・・・，５６）と、
前記発光手段（５６）を支持し、前記遊技盤（３）背面側に突出しない状態で、且つ該遊技盤（３）背面に形成された前記貫通孔（５０）の開口（５２）を塞いだ状態で配設される支持部材（６０）と、を備え、
前記支持部材（６０）に、前記凹部（５３）に嵌合する鍔部（６１）を一体に形成し、
前記鍔部（６１）は、前記支持部材（６０）が前記遊技盤（３）に配設された状態で、該遊技盤（３）の背面側に突出せずに、前記発光手段（５６）に通電する電気的接続ケーブル（６９）を前記凹部（５３）内に収納してなる、
ことを特徴とする遊技機（１）にある。
【０００９】
請求項２に係る本発明は（例えば図２ないし図４参照）、前記支持部材（６０）が、対応する貫通孔（５０）と略々同形状に形成され、該貫通孔（５０）を形作る前記遊技盤（３）の内側面に接した状態に配設されてなる、
請求項１に記載の遊技機（１）にある。
【００１０】
請求項３に係る本発明は（例えば図２ないし図４参照）、前記複数の貫通孔（５０）は、前記遊技盤（３）の前面にそれぞれ複数の開口（５１ａ，５１ｂ，５１ｃ）を有し、前記遊技盤（３）の背面にそれぞれ貫通孔（５０）と凹部（５３）とが連通した開口（５２）を有してなる、
請求項１又は２に記載の遊技機（１）にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、遊技機が、複数の貫通孔と、複数の貫通孔同士に通じる凹部と、遊技盤の前面側に光を発する発光手段と、該発光手段を支持して貫通孔の開口を塞いだ状態で配設される支持部材と、を備え、支持部材に凹部に嵌合する鍔部を一体に形成し、該鍔部が発光手段に通電する電気的接続ケーブルを凹部内に収納してなる。これにより、支持部材を配設した際、該支持部材と一体となった鍔部が凹部に嵌合されるので、専用部材などを増やさずに、電気的接続ケーブル等を低コストで凹部内に収納することができる。また、専用部材の増加が生じないことから、組み付けに費やす手数の増加をも防ぐことができ、組み付け作業を効率化することができる。
【００１３】
請求項２に係る本発明によると、支持部材が、対応する貫通孔と略々同形状に形成され、該貫通孔を形作る遊技盤の内側面に接した状態に配設されてなるので、遊技盤に加わる外力等に起因した、貫通孔に生じ得る捩れや撓み等の変形の発生を抑制することができる。
【００１４】
請求項３に係る本発明によると、複数の貫通孔が、遊技盤の前面にそれぞれ複数の開口を有し、遊技盤の背面にそれぞれ貫通孔と凹部とが連通した開口を有してなるので、遊技盤前面の複数の開口における形状や数等を適宜に形成し、様々な文字や図柄等の発光演出を遊技者に提供できるものとなる。また、複数の貫通孔はそれぞれ、遊技盤前面に複数の開口を有し、遊技盤背面に該複数の開口から通じる１つの開口を有した構造となっているので、１つの発光源からの光によって複数の開口から遊技盤前面に向けて光を発することができる。
【発明を実施するための最良の形態】
【００１５】
以下、本発明に係る遊技機の実施形態として、遊技場等に設置されるパチンコ機を図面に沿って説明する。なお、後述する各実施の形態では、本発明の遊技機をいわゆる第１種特別電動役物を使用したパチンコ機として述べるが、本発明はこれに限らず、いわゆる第２種若しくは第３種特別電動役物等を使用したパチンコ機、又は他の種別のパチンコ機にも適用可能であることは勿論である。
【００１６】
図１は、本発明に係る実施の形態におけるパチンコ機の外部構造を示す正面図である。本パチンコ機１は、同図に示すように、発射ハンドル２の操作による不図示の発射装置の作動で遊技球（いわゆるパチンコ玉）を遊技盤３前面の遊技領域３ａに向かって打ち出しつつ遊技を行うもので、いわゆる確率変動等の大当たりが発生した状態でアタッカー５に入球した遊技球に対応する数の遊技球を払い出すように構成されている。
【００１７】
上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１８】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右には、スピーカー（図示せず）を有する放音装置１２がそれぞれ配設されている。
【００１９】
また、ガラス枠１０における中央部右方には、前扉７を筐体６側に施錠又は解放し、或いは、ガラス枠１０を前扉７側に施錠又は解放するための施錠装置１３が配設されている。また、図１中の符号１４は、不図示の発射装置によって打ち出された遊技球を遊技盤３側に案内するガイドレールを示している。また、本パチンコ機１には、遊技中に遊技領域３ａにて入賞することなく落下した遊技球をパチンコ機背面側に導く不図示のアウト口及びアウト球通路が設けられている。
【００２０】
そして、前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を、皿ユニット１６下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。更に、皿ユニット１６の左下方には灰皿２１及び傾斜部１５が配設され、該傾斜部１５には遊技者参加ボタン（いわゆるチャンスボタン）２２が配設されている。
【００２１】
また、遊技領域３ａの中央部分には、遊技球ステージＳを有するセンター飾り２３が配設されている。センター飾り２３の左右下方には、それぞれ大当たり抽選に寄与しない一般の入賞が行われる入賞口２５，２６が配設されており、センター飾り２３の直下方には、始動チャッカー２７と、アタッカー５とが順次配設されている。
【００２２】
始動チャッカー２７は、大当たり抽選実行の契機となり得る入賞が行われるものであり、開放位置と閉止位置とに開閉動作するように始動チャッカー開閉ソレノイド７０（図８参照）によって作動させられる。該始動チャッカー２７の直上方には、いわゆる命釘としての一対の障害釘３０が打ち込まれている。
【００２３】
アタッカー５は、大当たり発生時に開放され、遊技領域３ａに打ち出されて転動落下する遊技球を入賞させるものであり、大当たり発生中、例えば、１回の開放で１０個の入球を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２４】
遊技領域３ａには、センター飾り２３の四方に風車３１が配設されており、遊技球ステージＳの下方における始動チャッカー２７の左側に、普通図柄作動ゲート３２が配設されている。この普通図柄作動ゲート３２は、始動チャッカー２７を開閉動作させるための抽選の契機となる遊技球通過が行われる役物である。
【００２５】
遊技領域３ａ右上部には、遊技盤３から遊技中の遊技者に向けて光を発する盤面発光装置６２が配設されている。この盤面発光装置６２について詳しくは後述する。なお、図１には、盤面発光装置６２のみ図示されているが、該盤面発光装置６２の左右にも同様の構成の発光装置が配設されている。
【００２６】
遊技領域３ａにおける普通図柄作動ゲート３２、入賞口２５，２６及び始動チャッカー２７等の周囲には、遊技球ステージＳから零れた遊技球や、発射されてから遊技球ステージＳに関与せずに落下してくる遊技球を適宜散らし、或いは入球に導くようにするための障害釘３３を含む多数の障害釘が打ち込まれている。
【００２７】
上記センター飾り２３は、遊技盤３側に固定された画像表示装置３５を露出する開口３６を中央部に、ワープ導入口３７を左上部に、該ワープ導入口３７に連通する放出口４を左下部に、遊技球ステージＳを開口３６の下側に、球放出口４９を該ステージＳの中央下部にそれぞれ有している。また、ワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、遊技球ステージＳを介して入球させ又は該ステージＳを介さず直接入球させ得るように遊技が進められる。
【００２８】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００２９】
ついで、本発明の特徴となる遊技盤３における盤面発光装置６２について、図２ないし図６を参照して詳細に説明する。図２は盤面発光装置６２の構造を分解した状態で遊技盤３の斜め前方から示す斜視図、図３は盤面発光装置６２の構造を分解した状態で遊技盤３の斜め後方から示す斜視図である。また、図４は支持部材６０を遊技盤３の背面から配設した状態を示す背面図、図５は図４のＡ−Ａ線に沿って断面した状態で示す側面断面図、図６は図５の側面断面図を斜め後方から示す斜視図である。
【００３０】
盤面発光装置６２は、遊技盤３の厚さ方向に貫通した貫通孔５０と、該貫通孔５０に嵌合して配設されるレンズ部材５９と、該レンズ部材５９の背面側からネジ止めされることで支持される基板５７とから構成される。また、上記レンズ部材５９と基板５７とは、発光素子であるフルカラー発光ダイオード（発光手段）５６，・・・，５６（以下ＬＥＤ５６，・・・，５６とする）を支持する支持部材６０を構成する。なお、本実施の形態では、図１に示すような遊技盤３の正面視右上部に位置するものを特に盤面発光装置６２として説明するが、隣り合う他の貫通孔に形成されている盤面発光装置（例えば図３参照）も構成は同様となる。従って、以下では、この盤面発光装置６２についてのみ説明し、他の貫通孔に形成される盤面発光装置の説明については省略するものとする。また、以下では、ＬＥＤ５６，・・・，５６を意味する際にあっても、ＬＥＤ５６とのみ省略して記載することがある。
【００３１】
貫通孔５０は、図２及び図３に示すように、遊技盤３前面に開口５１ａ，５１ｂ，５１ｃを有し、遊技盤３背面に貫通孔５０と凹部５３とが連通した開口５２を有する。これにより、貫通孔５０は、遊技盤３の前面から開口５１ａ，５１ｂ，５１ｃの各形状にて遊技盤３の厚さ方向に柱状に切削され、遊技盤３の厚さ方向中間部からは１つの大きな孔部となって遊技盤３背面の開口５２へと通じるものとなっている。このように、貫通孔５０は、複数の開口を有することができるので、これら各開口の形状や数等を適宜に形成することで様々な文字や図柄等の発光演出を遊技者に提供できることとなる。また、貫通孔５０は、遊技盤３前面に開口５１ａ，５１ｂ，５１ｃを有し、遊技盤３背面に該開口５１ａ，５１ｂ，５１ｃから通じる１つの開口を有した構造となっているので、１つの発光源からの光によって開口５１ａ，５１ｂ，５１ｃから遊技盤３前面に向けて光を発することができるものとなる。そして、凹部５３は、貫通孔５０の背面視左右側に形成されており、隣り合う他の貫通孔に形成された不図示の凹部と通じた状態に形成されている（図３参照）。
【００３２】
レンズ部材５９は、合成樹脂材からなり、図２に示すように、台座をなすような後端部５９ｂの前面に、開口５１ａ，５１ｂ，５１ｃと略々同形状の先端部５９ａが隆起したように形成され、少なくとも該先端部５９ａは光透過性を有するように形成されている。そして、後端部５９ｂの後部には、平板状のブラケット部５９ｃと鍔部６１とがそれぞれ突き出すように形成され、該ブラケット部５９ｃの中央にはネジ穴５９ｄが設けられている。
【００３３】
レンズ部材５９が貫通孔５０に配設されると、上記ブラケット部５９ｃが貫通孔５０に連なって形成された凹部６３へと嵌合され、ブラケット部５９ｃに設けられたネジ穴５９ｄがネジ止めされることでレンズ部材５９が固定される。なお、凹部６３のネジ穴は図示を省略している。
【００３４】
また、レンズ部材５９が貫通孔５０に配設されると、鍔部６１は、凹部５３に嵌合されて該凹部５３を塞ぐように配設される。鍔部６１は平板状に形成されているため、凹部５３を塞ぐと図５及び図６に示すように凹部５３の内方に空間部６６（図５及び図６参照）を形成し且つ遊技盤３の背面と面一となる。また、後端部５９ｂにおける鍔部６１の前側には切り欠き部６７が形成されており、レンズ部材５９が貫通孔５０に配設された際にはレンズ部材５９の内方空間と空間部６６とが一続きとなる。そして、レンズ部材５９は、その背面側に基板５７がネジ止め固定された状態で、ＬＥＤ５６から発する光を遊技盤３の前面に透過する。
【００３５】
なお、本実施の形態では、レンズ部材５９は無色透明で且つ表面が滑らかに形成されたものとしているが、盤面発光装置６２を柔軟に装飾演出させるためには光透過性を備えつつ色づけしたり図柄印刷したりしてもよい。また、レンズ部材５９には、その表面を適宜すりガラス状に加工する等、光を拡散させ易くするような加工を施してよいのは勿論である。
【００３６】
基板５７は、複数のＬＥＤ５６が遊技盤３前面の開口５１ａ，５１ｂ，５１ｃの各形状に沿った配置で実装され、該複数のＬＥＤ５６に通電するためのハーネス（電気的接続ケーブル）６９（図３参照）を有した状態でレンズ部材５９の後部にネジ止め固定される。なお、図２における基板５７では、開口５１ｃから遊技盤３前面に光を発するためのＬＥＤ５６のみを図示しており、他の開口５１ａ，５１ｂに対応するＬＥＤ５６はその図示を省略している。
【００３７】
ところで、上述した基板５７とレンズ部材５９とからなる支持部材６０が貫通孔５０に配設されると、レンズ部材５９が貫通孔５０と略々同形状に形成されていることから、貫通孔５０を形作る遊技盤３の内側面に接した状態に配設され、貫通孔５０を内方から支持するものとなる。これにより、遊技盤３に比較的重さの重い役物等が配設されたり、遊技盤３に外力が加えられたりして応力が加わった際に、貫通孔５０が変形することを抑制することができる。
【００３８】
また、基板５７は、レンズ部材５９の後部に固定されることから、支持部材６０として貫通孔５０に配設されると、該貫通孔５０の背面側の開口５２を塞ぎ、遊技盤３の背面と略々面一の状態となる（図４の状態）。従って、支持部材６０は、貫通孔５０に配設された状態で遊技盤３の背面側に突出することがないことから、遊技盤３における背面空間を阻害することがない。
【００３９】
なお、上述した盤面発光装置６２からの光は、遊技盤３前面に貼付されたセルシート５５を通して、該遊技盤３前面へと発せられるものとなる。ここで、該セルシート５５は、キャブロイド（Ｒ）と紙とから形成されたシートであり、光透過性を持たせるために紙の部分にはトレーシングペーパーを用いている。セルシート５５は、全体に装飾性を高めるための色付けや絵柄が適宜に印刷され、遊技盤３の前面に貼付される。なお、本実施の形態では、セルシート５５の発光する部分（つまり後述する貫通孔５０の開口５１ａ，５１ｂ，５１ｃに当る部分）は無色透明とするが、光透過性を有した上で着色したり図柄を印刷したりしてよいのは勿論である。また、セルシートに、光透過する又は光透過しない部分をそれぞれ設け、例えば影絵のようにして文字等を白抜き又は黒抜きにして表示させるなどしてもよい。また、セルシート５５が、打ち出された遊技球による衝撃や磨耗に抗する強度を要する場合には、キャブロイド（Ｒ）材を適宜に厚く形成するとよい。
【００４０】
次いで、本パチンコ機１の背面構造について図７を参照して説明する。同図は、本パチンコ機１の背面構造を示す背面図である。
【００４１】
すなわち、図７に示すように、パチンコ機１の前扉背面における上部左方には、賞球タンク４３が取り付けられており、この賞球タンク４３の下方に、副制御基板３８、主制御基板４０、及び払出し制御基板９３がこの順に配設されている。また、前扉背面における上部右方には、外部端子板９５が取り付けられており、この外部端子板９５の下方に、整列待機通路４５、賞球装置４６、賞球排出通路４７、電源ユニット４１、及び発射装置（図示せず）用の発射制御基板９６がこの順に配設されている。パチンコ機１の前扉背面における左側部には、施錠装置１３が配設されている。
【００４２】
次に、本実施形態におけるパチンコ機１の制御系を図８に沿って説明する。なお、同図は本パチンコ機の制御系を示すブロック図である。
【００４３】
すなわち、本制御系は、遊技制御装置８０と、該遊技制御装置８０に電気的に接続された、始動チャッカー開閉ソレノイド７０、アタッカー開閉ソレノイド７１、放音装置１２、演出用照明装置１１、画像表示装置３５、及びＬＥＤ５６，・・・，５６と、を備えている。
【００４４】
遊技制御装置８０は、図７に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００４５】
遊技制御装置８０は、入賞判定手段８１、入賞信号出力手段８２、抽選手段８３、遊技制御手段８６、保留手段８７、作動制御手段８８、作動判定手段８９、作動決定手段９０、演出制御手段９１、表示制御手段９２を備えている。
【００４６】
入賞判定手段８１は、発射ハンドル２の操作で作動する不図示の発射装置によって遊技領域３ａに打ち出された遊技球が始動チャッカー２７、入賞口２５，２６、アタッカー５等の何れかに入賞したとき、当該入賞があった旨を判定する。
【００４７】
入賞信号出力手段８２は、入賞判定手段８１によって入賞が判定されたとき、対応する始動チャッカー２７、入賞口２５，２６、アタッカー５等に入賞した旨の入賞信号を出力する。
【００４８】
抽選手段８３は、入賞信号出力手段８２からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００４９】
そして、抽選手段８３は、大当たり抽選で確変当たりに当選した場合、不図示の演出用メモリに格納された演出乱数値に基づく抽選で、変動の結果、確変当たりに対応する「１１１」、「３３３」や「７７７」等の図柄が画像表示装置３５の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００５０】
さらに、抽選手段８３は、上記大当たり抽選で確変当たり又は通常当たりが当選した場合に、盤面発光装置６２を駆動させて遊技者の高揚感を誘うような「特別演出」を併せて行わせるか否かの抽選を、特別演出乱数値を取得して実行する。
【００５１】
遊技制御手段８６は、放音装置１２、演出用照明装置１１に放音、発光の演出をさせる契機となる指令を、演出制御手段９１に送る。また、遊技制御手段８６は、予め設定された演出データや、抽選手段８３での抽選結果に応じて、画像表示装置３５に表示すべき演出内容に関する信号を表示制御手段９２に送ったり、また、盤面発光装置６２の発光駆動に関する信号を演出制御手段９１に送ったりする。
【００５２】
保留手段８７は、抽選手段８３から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段８７は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００５３】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数ＨがＨ＜４となった場合、抽選手段８３で行われる始動チャッカー２７への入賞に応答した大当たり抽選の結果を保留球として記憶し、保留球数を１インクリメントする。
【００５４】
作動制御手段８８は、作動決定手段９０の作動開始決定の旨の信号に基づき、始動チャッカー開閉ソレノイド７０に駆動信号を送って該ソレノイド７０を作動させ、始動チャッカー２７を開放又は閉塞動作させる。更に作動制御手段８８は、アタッカー開閉ソレノイド７１に駆動信号を送って該ソレノイド７１を作動させ、抽選手段８３での抽選による大当たり発生時にアタッカー５を開放して所定数入賞が終了する（又は所定時間が経過する）毎に閉塞する動作を所定回数（所定ラウンド）だけ繰り返すように制御する。
【００５５】
作動判定手段８９は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段８３の大当たり抽選とは別途行われる抽選で当選した場合である。アタッカー開閉ソレノイド７１にあって、アタッカー５の開放の「条件を満たす」時とは、いわゆるリーチ（いわゆるスーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００５６】
作動決定手段９０は、作動判定手段８９からの判定信号を受けて、始動チャッカー開閉ソレノイド７０、アタッカー開閉ソレノイド７１の作動開始をそれぞれに決定する。
【００５７】
演出制御手段９１は、遊技制御手段８６からの指令に応答して、放音装置１２を放音駆動し、演出用照明装置１１を発光駆動し、遊技者の聴覚や視覚に訴える演出を行う。また、演出制御手段９１は、遊技制御手段８６からの指令に応答して、盤面発光装置６２におけるＬＥＤ５６，・・・，５６を発光駆動させて遊技者の視覚に訴える演出を行う。
【００５８】
表示制御手段９２は、遊技制御手段８６からの信号に従って、画像表示装置３５を駆動し、大当たり抽選結果を中心とした内容等の演出を、遊技者の視覚に訴えるように演出表示する。
【００５９】
始動チャッカー開閉ソレノイド７０は、作動制御手段８８から送信された駆動信号に応答してプランジャ（図示せず）を進退動作させて、始動チャッカー２７を開閉動作させる。アタッカー開閉ソレノイド７１は、作動制御手段８８から送信された駆動信号に応答してプランジャ（図示せず）を進退動作させて、アタッカー５を開閉動作させる。
【００６０】
放音装置１２は、演出制御手段９１の制御に従ってスピーカー（図示せず）を駆動させ、演出に応じた効果音を発する。演出用照明装置１１は、演出制御手段９１の制御に従ってその内蔵する不図示の電飾ランプやＬＥＤ等を発光駆動（点灯、点滅）させ、演出に応じた照明を行う。画像表示装置３５は、表示制御手段９２の制御に従って作動し、演出データや抽選手段８３での抽選結果に応じた演出表示を行う。ＬＥＤ５６，〜，５６は、演出制御手段９１の制御に従い、演出に応じた盤面発光装置６２の発光駆動を行う。
【００６１】
次に、本パチンコ機１による作用について、図９を参照して説明する。図９は、本パチンコ機による作用を説明するためのフローチャートである
【００６２】
すなわち、本パチンコ機１に対面して着座した遊技者が発射ハンドル２を握り、適宜の角度に回動操作すると（ステップＳ１）、不図示の発射装置の作動で遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００６３】
つまり、遊技領域３ａに向けて打ち出された多数の遊技球Ｂａは、その一部がワープ導入口３７から導入されて放出口４から遊技球ステージＳ上に放出される。そして、更にその一部が球放出口４９から放出されて始動チャッカー２７に向けて落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａもあり、このような遊技球Ｂａは始動チャッカー２７と異なる方向に向かう。この際、当該遊技球Ｂａは、始動チャッカー２７上の一対の障害釘３０の方向に落下せずとも、障害釘３０の左右に打ち込まれた所謂ジャンプ釘（図示せず）や、このジャンプ釘から左右方向に配列された道釘（図示せず）にて弾き返されることにより、障害釘３０に絡んで始動チャッカー２７に入球することもある。
【００６４】
ところで、上述したように始動チャッカー２７や入賞口２５，２６の何れかに遊技球Ｂａが入賞した場合、入賞判定手段８１が当該入賞を判定し、且つ入賞信号出力手段８２が入賞信号を出力する（ステップＳ２）。この際、保留手段８７は、保留している変動パターンに係る信号を、遊技制御手段８６を介して表示制御手段９２に順次送信し、変動パターン信号の送信に応じて保留球数を１デクリメントする。また保留手段８７は、当該保留球の消費に応じて、抽選手段８３で行われる始動チャッカー２７への入賞に応じた大当たり抽選の結果を保留球として記憶し、保留球数を１インクリメントする。
【００６５】
ステップＳ３において、大当たり抽選で当選した場合、抽選手段８３が当たりフラグをオンすると、抽選手段８３が、演出用メモリに格納された演出乱数値に基づく抽選で、大当たりの種別、つまり確変当たり又は通常当たりを決定する。そして、ステップＳ４において、画像表示装置３５に表示されるべき図柄がセットされる。
【００６６】
以上のように、遊技制御手段８６が、画像表示装置３５に表示すべき演出内容に関する信号を、表示制御手段９２に送信することに基づき、表示制御手段９２は、画像表示装置３５を適時駆動し、大当たり抽選結果に関する内容等を、遊技者の視覚に訴えるように演出表示する（ステップＳ５）。
【００６７】
そして、画像表示装置３５の画面上に表れた抽選結果が大当たり決定である場合、作動制御手段８８は、作動決定手段９０の作動開始決定の旨の信号に基づき、所定のタイミングでアタッカー開閉ソレノイド７１に駆動信号を送り、当該ソレノイド７１を作動させて開閉扉を開閉動作させてアタッカー５を開放状態にし、所定数入賞が終了する（又は所定時間が経過する）毎に閉塞状態にする動作を所定回数（所定ラウンド）だけ繰り返させる。これにより、アタッカー５に入賞した遊技球に対応する多量の遊技球が球供給口１７から皿ユニット１６に払い出されることとなる（ステップＳ６）。
【００６８】
ところで、前述した抽選手段８３にて大当りが決定すると、画像表示装置３５に大当りの抽選結果を表示動作させる旨の信号が遊技制御手段８６から表示制御手段９２へと送られる。また、この大当たり決定の際に特別演出の実行が決定された場合には、大当りの抽選結果の表示に加え、盤面発光装置６２に所定の発光演出をさせる旨の信号が遊技制御手段８６から演出制御手段９１へと送られる。これにより、表示制御手段９２によって画像表示装置３５が表示制御されると共に、演出制御手段９１によって盤面発光装置６２が発光駆動されることとなる。なお、通常の遊技状態にあっては、盤面発光装置６２におけるＬＥＤ５６は、常時青色に発光するように制御されており、遊技盤３における遊技領域３ａを安定して発光装飾する。
【００６９】
ここで、例えば、抽選手段８３にて「２２２」の通常当たりが決定され、併せて盤面発光装置６２による特別演出の実行が決定されると、まず、画像表示装置３５の画面３５ａ上には、表示制御手段９２の制御により「２２２」の変動パターンが揃う通常当たりの抽選及び結果表示がなされる。これに伴い、演出制御手段９１は、画像表示装置３５における上記通常当たりの結果表示を契機として、盤面発光装置６２のＬＥＤ５６を発光駆動する。このとき、ＬＥＤ５６は、「２２２」の変動パターンが揃った時点から３秒間だけ演出制御手段９１によって緑色に点滅発光するように制御される。
【００７０】
また、例えば抽選手段８３にて「７７７」の確変当たりが決定され、併せて盤面発光装置６２による特別演出の実行が決定されると、画像表示装置３５の画面３５ａ上には、表示制御手段９２の制御により「７７７」の変動パターンが揃う確変当たりの抽選及び結果表示がなされる。これに伴い、演出制御手段９１は、画像表示装置３５における上記確変当たりの結果表示を契機として、盤面発光装置６２のＬＥＤ５６を発光駆動する。このとき、ＬＥＤ５６は、「７７７」の変動パターンがリーチ状態になった時点から「７７７」に停止表示されるまでの間、演出制御手段９１によって赤色に点滅発光するように制御される。更に、「７７７」の変動パターンが揃った時点から３秒間にわたっては、上記赤色に比して照度が高く感じられるような白色に発光制御される。
【００７１】
上記したように、画像表示装置３５における大当たりの結果表示に合わせて、盤面発光装置６２の発光態様を通常遊技中の状態から変化させると、大当たり当選したことを遊技者に強く実感させ得るとともに、一層大きな高揚感を提供できるものとなる。また、上記したように、大当たりの優劣（例えば通常当たりと確変当たり）によって盤面発光装置６２の発光態様が変化すると、大当たりの内容を該発光態様によって認知させ得るとともに、該発光態様により異なった達成感を遊技者に提供できるものとなる。
【００７２】
また、上記した盤面発光装置６２は、センター飾り２３の周辺に位置していることから、通常の着座状態にある遊技者の目に止まり易く、且つ遊技者が画像表示装置３５を注目した状態にあっても間接視界の中に十分収まるものとなっている。従って、盤面発光装置６２が発光演出している際に、遊技者が特に意識して視線を移さなくとも、通常の遊技姿勢にて視認することができるものとなっている。
【００７３】
次いで、盤面発光装置６２の遊技盤３への組み付けについて説明する。
【００７４】
本パチンコ機１にあって、遊技盤３は貫通孔５０を有しており、その前面にはセルシート５５が貼付されている。そして、このセルシート５５が貼付された遊技盤３に対し、基板５７とレンズ部材５９とから形成された支持部材６０を遊技盤３の背面側から貫通孔５０に嵌合させることにより盤面発光装置６２が形成される。
【００７５】
支持部材６０は、上記嵌合前においては、ハーネス（例えば図３に示す基板５７に接続されたハーネス６９）が切り欠き６７を通して外側に垂下した状態に組み立てられている。しかし、ハーネス６９がそのように切り欠き６７から外側に出ていることから、支持部材６０が貫通孔５０に対して浅く嵌め合わされただけでも、該ハーネス６９は凹部５３に沿うように位置し、その引き回しが容易となる。
【００７６】
更に、支持部材６０が貫通孔５０の奥まで完全に嵌め込まれると、ハーネス６９は、レンズ部材５９に形成された鍔部６１によって凹部５３内方に押さえ込まれ、空間部６６内に完全に収納されることとなる。このように、支持部材６０を貫通孔５０に通常の動作で嵌合させるのみで、支持部材６０から垂下したハーネス６９を凹部５３内に容易に収納させることができることから、組み付け作業に係る手間や手数等を格段に減少させることができるものとなる。また、ハーネス６９を凹部５３内に収納させるための蓋部材を、単体の部材ではなく、鍔部６１として支持部材６０に一体に形成するので、部品点数の増加を抑えることとなりコストの削減を図ることができるようになる。
【００７７】
なお、以上説明した本実施の形態では、支持部材６０が貫通孔５０に配設されると、基板５７によって該貫通孔５０の背面側の開口５２が塞がれ、遊技盤３背面と略々面一の状態になるとして説明した。しかし、他にも、レンズ部材５９と基板５７とを貫通孔５０に嵌合した状態で、更に基板５７の後方からこれら両者を押し込むように蓋をする蓋部材を設けるようにしてもよい。このような構成とした場合、該蓋部材もＬＥＤ５６を支持する支持部材として構成させることから、鍔部６１は、蓋部材及び基板５７のいずれに設けられていてよいものとなり、本実施の形態と同様の効果を奏するものとなる。なお、上記蓋部材は、レンズ部材５９及び基板５７を保護する効果をも奏するものとなり、また、遊技盤３に配設された際に該遊技盤３背面には突出しない形状とする。
【００７８】
以上説明した本実施の形態におけるパチンコ機１では、支持部材６０に凹部５３に嵌合する鍔部６１を一体に形成し、該鍔部６１がＬＥＤ５６に通電するハーネス６９を凹部５３内に収納してなる。これにより、支持部材６０を配設した際、該支持部材６０と一体となった鍔部６１が凹部５３に嵌合されるので、例えば蓋部材等といった単独の専用部材などを増やさずに、ハーネス６９を低コストで凹部５３内に収納することができるようになる。また、上記したような専用部材の増加が生じないことから、組み付けに費やす手数が増えず、効率的に組み付け作業を行うことができるようになる。
【００７９】
また、支持部材６０が、対応する貫通孔５０と略々同形状に形成され、貫通孔５０を形作る遊技盤３の内側面に接した状態に配設されるので、遊技盤３に加わる外力等に起因した、貫通孔５０に生じ得る捩れや撓み等の変形の発生を抑制することができるようになる。
【００８０】
また、支持部材６０及び該支持部材６０に形成された鍔部６１が、遊技盤３背面に突出しない状態で配設され、且つハーネス６９が鍔部６１によって凹部５３内に収納されることで隆起や離散等を生じないので、遊技盤３背面の空間領域が阻害されることがなく、該遊技盤３背面の空間領域を有効利用することができるようになる。
【００８１】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００８２】
【図１】本発明に係る実施の形態におけるパチンコ機の外部構造を示す正面図である。
【図２】盤面発光装置の構造を分解した状態で遊技盤の斜め前方から示す斜視図である。
【図３】盤面発光装置の構造を分解した状態で遊技盤の斜め後方から示す斜視図である。
【図４】支持部材を遊技盤の背面から配設した状態を示す背面図である。
【図５】図４のＡ−Ａ線に沿って断面した状態で示す側面断面図である。
【図６】図５の側面断面図を斜め後方から示す斜視図である。
【図７】本パチンコ機の背面構造を示す背面図である。
【図８】本パチンコ機の制御系を示すブロック図である。
【図９】本パチンコ機による作用を説明するためのフローチャートである。
【符号の説明】
【００８３】
１    遊技機（パチンコ機）
３    遊技盤
３ａ    遊技領域
５０    貫通孔
５１ａ，５１ｂ，５１ｃ    開口
５２    開口
５３    凹部
５６    発光手段（フルカラー発光ダイオード、ＬＥＤ）
６０    支持部材
６１    鍔部
６９    電気的接続ケーブル（ハーネス）
Ｂａ    遊技球
【図１】
2008220876.tif 000003
【図２】
2008220876.tif 000004
【図３】
2008220876.tif 000005
【図４】
2008220876.tif 000006
【図５】
2008220876.tif 000007
【図６】
2008220876.tif 000008
【図７】
2008220876.tif 000009
【図８】
2008220876.tif 000010
【図９】
2008220876.tif 000011